Podtech/llm-jp-corpus-v4-ja_patent huggingface dataset:
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
式Iの単離されたパルメロリド(Palmerolide)化合物、および、その異性体、ラセミ体もしくはラセミ混合物、またはその薬学的に許容される塩もしくは結晶型：
2009508878.tif 000001
式中、
2009508878.tif 000002
R1は、カルボキシアルデヒド、-CHCHNHC(O)-アルキル、-OC-アルキル、-OC-アリール、-OC-アミノ、アリール、アミノ、-ビニルアミド、アリールアミド、アルキル、アルコキシ、シクロアルキル、シクロアルコキシ、アリールオキシ、アルキルカルボニル；アルコキシカルボニル、シクロアルキルカルボニル、シクロアルコキシカルボニル、ヘテロアルキル、ヘテロシクロアルキル、ヘテロアリール、アリールカルボニル、ヘテロアリールカルボニル、ヘテロシクロアルキルカルボニル、アリールオキシカルボニル、ヘテロアリールオキシカルボニル、ヘテロシクロアルコキシカルボニル、ハロゲン、または-CHOであり、そのいずれも、H、アルキル、アルコキシ、-OH、-NO2、-NH2、-COOH、ハロゲン、または-CH3により置換されてもよく；
R2は、独立して、OH、O-アシル、カルバメート、H、O-アルキル、アミノ、-OSO3H、アルキル、アルコキシ、シクロアルキル、シクロアルコキシ、アリールオキシ、アルキルカルボニル；アルコキシカルボニル、シクロアルキルカルボニル、シクロアルコキシカルボニル、ヘテロアルキル、ヘテロシクロアルキル、ヘテロアリール、アリールカルボニル、ヘテロアリールカルボニル、ヘテロシクロアルキルカルボニル、アリールオキシカルボニル、ヘテロアリールオキシカルボニル、ヘテロシクロアルコキシカルボニル、ハロゲン、および/またはオキソであり；
R3は、H、アルキル、アルコキシ、シクロアルキル、シクロアルコキシ、アリールオキシ、アルキルカルボニル； アルコキシカルボニル、シクロアルキルカルボニル、シクロアルコキシカルボニル、ヘテロアルキル、ヘテロシクロアルキル、ヘテロアリール、アリールカルボニル、ヘテロアリールカルボニル、ヘテロシクロアルキルカルボニル、アリールオキシカルボニル、ヘテロアリールオキシカルボニル、ヘテロシクロアルコキシカルボニル、ハロゲンであり、そのいずれも、アルキル、アルコキシ、-OH、-NO2、-NH2、-COOH、ハロゲン、および/または-CH3により置換されてもよく；
R4は、独立して、H、アルキル、アルコキシ、シクロアルキル、シクロアルコキシ、アリールオキシ、アルキルカルボニル； アルコキシカルボニル、シクロアルキルカルボニル、シクロアルコキシカルボニル、ヘテロアルキル、ヘテロシクロアルキル、ヘテロアリール、アリールカルボニル、ヘテロアリールカルボニル、ヘテロシクロアルキルカルボニル、アリールオキシカルボニル、ヘテロアリールオキシカルボニル、ヘテロシクロアルコキシカルボニル、ハロゲンであり、そのいずれも、アルキル、アルコキシ、-OH、-NO2、-NH2、-COOH、ハロゲン、および/または-CH3により置換されてもよい。
【手続補正書】
【提出日】平成21年9月17日(2009.9.17)
【手続補正１】
【補正対象書類名】明細書
【補正対象項目名】００３８
【補正方法】変更
【補正の内容】
【００３８】
フォームＩＩの乾燥減量の測定結果は７．８％であった。
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
患者の胃内の泡の形成を減少させるために効果的である量の消泡剤と組み合わせてビスホスホネートを含む、骨粗鬆症の治療のための製剤。
【請求項２】
前記消泡剤の量が、２０ｍｇ〜１５０ｍｇの範囲にある、請求項１に記載の製剤。
【請求項３】
前記消泡剤の量が、３５ｍｇ〜１２５ｍｇの範囲にある、請求項１に記載の製剤。
【請求項４】
前記消泡剤の量が、３質量％〜４０質量％の範囲にある、請求項１に記載の製剤。
【請求項５】
前記消泡剤の量が、５質量％〜３０質量％の範囲にある、請求項１に記載の製剤。
【請求項６】
前記消泡剤が、１以上のポリジメチルシロキサンである、請求項１から５のいずれかの項に記載の製剤。
【請求項７】
前記消泡剤が、ジメチコンＢＰである、請求項６に記載の製剤。
【請求項８】
前記消泡剤が、シメチコンＢＰである、請求項６に記載の製剤。
【請求項９】
前記消泡剤が、ジメチコンＢＰおよびシメチコンＢＰを含む、請求項６に記載の製剤。
【請求項１０】
前記製剤が、制酸剤をさらに含む、請求項１から９のいずれかの項に記載の製剤。
【請求項１１】
前記制酸剤が、炭酸塩、三珪酸塩および酸化物塩からなる群から選択される、請求項１０に記載の製剤。
【請求項１２】
前記ビスホスホネートが、アレンドロン酸、エチドロン酸二ナトリウム、パミドロン酸二ナトリウム、イバンドロン酸、リセドロン酸ナトリウム、クロドロン酸ナトリウム、ラネリック酸ストロンチウム、チルドロン酸およびゾレドロン酸からなる群から選択される、請求項１から１１のいずれかの項に記載の製剤。
【請求項１３】
前記ビスホスホネートが、アレンドロン酸、アレンドロネート、リセドロネートおよびエチドロネートからなる群から選択される、請求項１から１２のいずれかの項に記載の製剤。
【請求項１４】
前記ビスホスホネートが、アレンドロン酸およびアレンドロネートからなる群から選択される、請求項１から１３のいずれかの項に記載の製剤。
【請求項１５】
（ｉ）ビタミンＤ誘導体、（ｉｉ）カルシウム補助剤、または（ｉｉｉ）（ｉ）と（ｉｉ）との両方をさらに含む、請求項１から１４のいずれかの項に記載の製剤。
【請求項１６】
前記ビタミンＤ誘導体が、エルゴカルシフェロール（カルシフェロール、ビタミンＤ２）、コレカルシフェロール（ビタミンＤ３）、ジヒドロタキステロール、アルファカルシドール（１α−ヒドロキシコレカルシフェロール）、およびカルシトリオール（１，２５−ジヒドロキシコレカルシフェロール）からなる群から選択される、請求項１５に記載の製剤。
【請求項１７】
前記カルシウム補助剤が、カルシウム塩、グルコン酸カルシウム、塩化カルシウム、乳酸カルシウム、ＡＤＣＡＬ（登録商標）、ＣＡＣＩＴ（登録商標）、ＣＡＬＣＩＣＨＥＷ（登録商標）、ＣＡＬＣＩＵＭ−５００（登録商標）、ＣＡＬＣＩＵＭ−ＳＡＮＤＯＺ（登録商標）およびＳＡＮＤＯＣＡＬ（登録商標）からなる群から選択される、請求項１５に記載の製剤。
【請求項１８】
前記製剤が、活性剤を、一緒（同じ製剤中で）もしくは別々（同時に一緒に服用）のいずれかで同時に投与、または別々（時間差投与）に投与するように製剤化される、請求項１から１７のいずれかの項に記載の製剤。
【請求項１９】
薬学的に許容可能な担体を含む、請求項１から１８のいずれかの項に記載の製剤。
【請求項２０】
骨粗鬆症の治療のためのビスホスホネートおよび患者の胃内の泡の形成を減少させるために効果的である量の消泡剤を含むキット。
【請求項２１】
前記消泡剤の量が、２０ｍｇ〜１５０ｍｇの範囲にある、請求項２０に記載のキット。
【請求項２２】
前記消泡剤の量が、３質量％〜２０質量％の範囲にある、請求項２０に記載のキット。
【請求項２３】
１以上のビタミンＤ誘導体をさらに含む、請求項２０から２２のいずれかの項に記載のキット。
【請求項２４】
１以上のカルシウム補助剤を含む、請求項２０から２３のいずれかの項に記載のキット。
【請求項２５】
ビスホスホネートと組み合わせた、骨粗鬆症の治療または予防のための医薬品の製造における消泡剤の使用であって、該消泡剤が、患者の胃内の泡の形成を減少させるために効果的である量で存在する、使用。
【請求項２６】
患者の胃内の泡の形成を減少させるために効果的である量の消泡剤と組み合わせた、骨粗鬆症の治療または予防のための医薬品の製造におけるビスホスホネートの使用。
【請求項２７】
前記消泡剤の量が、２０ｍｇ〜１５０ｍｇの範囲にある、請求項２５または２６に記載の使用。
【請求項２８】
前記消泡剤の量が、３質量％〜２０質量％の範囲にある、請求項２５または２６に記載の使用。
【請求項２９】
前記医薬品が、１以上のビタミンＤ誘導体およびカルシウム補助剤をさらに含む、請求項２５から２８のいずれかの項に記載の使用。
【請求項３０】
アレンドロネート、胃内の泡の形成を減少させるために効果的である量のシメチコン、および薬学的に許容可能な担体を含む製剤。
【請求項３１】
アレンドロネート、胃内の泡の形成を減少させるために効果的である量のジメチコン、および薬学的に許容可能な担体を含む製剤。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
以下を含む固形の美容組成物：
石けん及び／又は石けんではない界面活性剤、及び毛の制限活性剤。
【請求項２】
石けん及び／又は石けんではない界面活性剤を、40から99質量％の量で含む、請求項１の組成物。
【請求項３】
毛の制限活性剤を、0.05から15質量％の量で含む、請求項１又は２に記載の組成物。
【請求項４】
毛の制限活性剤が、グリセロールモノチオグリコレート、N-アセチル-L-システイン、システアミン、カリウムチオグリコレート又はボーマンバークインヒビターから選択される、請求項１から３のいずれか１項に記載の組成物。
【請求項５】
更に少なくとも一つの皮膚の強化活性剤を含む、請求項１から４のいずれか１項に記載の組成物。
【請求項６】
皮膚の強化活性剤が、アルファヒドロキシ酸（AHA）である、請求項５に記載する組成物。
【請求項７】
皮膚の強化活性剤が、組成物の質量により0.1から2.0の範囲の量で存在する、請求項５又は６に記載の組成物。
【請求項８】
皮膚のコンディショニング剤を含む、請求項１から７のいずれか1項に記載の組成物。
【請求項９】
0.01から10質量％の皮膚のコンディショニング剤を含む、請求項８に記載の組成物。
【請求項１０】
皮膚のコンディショニング剤がシアバターである、請求項８又は９に記載の組成物。
【請求項１１】
シリコーン及び／又は鉱油を含む、請求項１から１０のいずれか１項に記載の組成物。
【請求項１２】
少なくとも一つのシリコーン及び／又は鉱油が、組成物の5質量％より多い量で存在する、請求項１１に記載の組成物。
【請求項１３】
少なくとも一つのシリコーンが、組成物の75質量％より少ない量で存在する、請求項１１又は１２に記載の組成物。
【請求項１４】
少なくとも一つのシリコーンが、C30-45アルキルメチコン及びC30-45オレフィン、ジビニルジメチコン／ジメチコンコポリマー及びC12-13パレス-23及びC12-13パレス、ステアリルジメチコン、ラウリルPET/PPG-18/18メチコン、エマルション形態のジビニルジメチコン/ジメチコンコポリマー、デクロペンタシロキサン、B15-PEG、メチルエーテルジメチルシランから選択される、請求項１１から１３のいずれか１項に記載の組成物。
【請求項１５】
少なくとも一つの鉱油が、パラフィンワックス、パラフィンオイル、カルナバワックス、キャンデリアワックス、030ケライトオリーブ油から選択される、請求項１１から１４のいずれか1項に記載の組成物。
【請求項１６】
デンプンを含む、請求項１から１５のいずれか１項に記載の組成物。
【請求項１７】
以下を含む、毛の制限方法：
請求項１から１６のいずれか１項に記載の固形組成物を、任意に水の存在下で、処理されるべき皮膚の領域上に適用する工程、及び
皮膚上の毛の成長を制限し、又は皮膚上の毛における少なくともいくらかのケラチンを減少させるのに十分な滞留時間の間皮膚上に組成物を残す工程。
【請求項１８】
組成物が、あらかじめ決められた時間の後に皮膚から除去される、請求項１７に記載の方法。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
タンパク尿が原因として関連しない抗体非依存性慢性腎症の進行の処置および／もしくは阻害ならびに／または予防のための医薬の製造のための、機能性Ｈ因子の使用。
【請求項２】
機能性Ｈ因子の用量は、治療時に患者の血漿中で超生理学的レベルの機能性Ｈ因子が達成される用量である、請求項１に記載のタンパク尿が原因として関連しない抗体非依存性慢性腎症の進行の処置および／もしくは阻害ならびに／または予防のための医薬の製造のための、機能性Ｈ因子の使用。
【請求項３】
Ｈ因子が膜への結合能を保持しつつ膜結合機能以外の機能的欠陥を有する患者における、請求項１および２に記載のタンパク尿が原因として関連しない抗体非依存性慢性腎症の進行の処置および／もしくは阻害ならびに／または予防のための医薬の製造のための、機能性Ｈ因子の使用。
【請求項４】
機能性Ｈ因子の投与が、内因性の変異型Ｈ因子のレベルを少なくとも１０％上回る血漿レベルを達成するよう行われる、請求項３に記載の機能性Ｈ因子の使用。
【請求項５】
ａＨＵＳおよび／またはＭＰＧＮ IIを処置するための、請求項１〜４のいずれかに記
載のＨ因子の使用。
【請求項６】
正常なＨ因子レベルを有する患者における、タンパク尿が原因として関連する慢性腎症の進行の処置および／もしくは阻害ならびに／または予防のための医薬の製造のための、機能性Ｈ因子の使用。
【請求項７】
機能性Ｈ因子の投与が、各患者の正常な血漿中Ｈ因子濃度を少なくとも１０％上回る血漿レベルを注射後に達成するよう行われる、請求項６に記載の機能性Ｈ因子の使用。
【請求項８】
尿細管間質性線維症（ＴＩＦ）および／または進行性腎不全を処置するための、請求項６または７に記載の機能性Ｈ因子の使用。
【請求項９】
エタノールを用いるヒト血漿または血清のラージスケールの分別沈殿により得られる中間体に基づく機能性Ｈ因子の精製方法。
【請求項１０】
血漿から商業目的で得られる他の治療用タンパク質の規制認可に影響を及ぼさない、請求項９に記載のエタノールを用いるヒト血漿または血清のラージスケールの分別沈殿により得られる中間体に基づく機能性Ｈ因子の精製方法。
【請求項１１】
精製が、コーン法による８％エタノール沈殿物の上清またはオンクレー法による沈殿物IIIまたはキストラー・ニッチマン法による沈殿物Ｂに基づく、請求項９または１０に記載の機能性Ｈ因子の精製方法。
【請求項１２】
エタノールを用いるヒト血漿または血清のラージスケールの分別沈殿とクロマトグラフィ手順の組み合わせにより得られる中間体に基づく、請求項９〜１１のいずれかに記載の機能性Ｈ因子の精製方法。
【請求項１３】
抗トロンビンIIIからＨ因子を分離する溶離液からの、請求項９〜１１のいずれかに記載の機能性Ｈ因子の精製方法。
【請求項１４】
感染因子を含まない機能性Ｈ因子の調製物をもたらす、請求項９〜１３のいずれかに記載の機能性因子の精製方法。
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
少なくとも１つの薬剤感受性型真菌の核酸配列に相補的なプローブセットを含んでいることを特徴とする真菌を分類するための試薬。
【請求項２】
上記プローブセットのプローブの少なくとも一部は、ＳＥＱ．ＩＤ  ＮＯ．１７、ＳＥＱ．ＩＤ  ＮＯ．１〜１６、又はＳＥＱ．ＩＤ  ＮＯ．１８〜２４より選択される核酸塩基配列またはその相補配列に、少なくとも約８６％同一であることを特徴とする請求項１に記載の試薬。
【請求項３】
上記プローブの配列は、長さ８から１７のサブユニットを含んでいることを特徴とする請求項２に記載の試薬。
【請求項４】
上記プローブセットは、少なくとも１つの検出可能部位を含んでいることを特徴とする請求項１に記載の試薬。
【請求項５】
上記検出可能部位は、共役体、分岐検出系、発色団、蛍光団、スピンラベル、放射性同位体、酵素、ハプテン、アクリジニウムエステル、又は発光化合物の１つ以上を含むことを特徴とする請求項４に記載の試薬。
【請求項６】
サンプル中の真菌の存在を分析するために、in situハイブリダイゼーションが用いられることを特徴とする請求項１に記載の試薬。
【請求項７】
少なくとも２つの上記プローブがそれぞれ異なる標識がされており、上記プローブが、２つ以上の薬剤感受性型を区別するように構成されていることを特徴とする請求項１に記載の試薬。
【請求項８】
真菌の感受性型を決定するための方法であって、
少なくとも１つの薬剤感受性型真菌の核酸配列に相補的な配列を含む、１つ以上のプローブセットと、サンプルとを接触させる工程と、
上記プローブのハイブリダイゼーションと確立した感受性型とを関連付ける工程とを包含することを特徴とする方法。
【請求項９】
抗真菌治療を選択するための方法であって、
ａ）少なくとも１つの薬剤感受性型真菌の核酸配列に相補的な配列を含むプローブセットと、サンプルとを接触させる工程と、
ｂ）上記プローブセットを核酸サンプルにハイブリダイズさせる工程と、
ｃ）ハイブリダイゼーションを検出する工程と、
ｄ）ハイブリダイゼーションが検出されれば、これに基づいて抗真菌治療を選択する工程とを含むことを特徴とする方法。
【請求項１０】
抗真菌治療を多重選択するための方法であって、
ａ）少なくとも１つの薬剤感受性型真菌の核酸配列に相補的な配列を含む少なくとも２つのプローブセットと、サンプルとを接触させる工程と、
ｂ）上記プローブセットを核酸サンプルにハイブリダイズさせる工程と、
ｃ）ハイブリダイゼーションを検出する工程と、
ｄ）ハイブリダイゼーションが検出されれば、これに基づいて抗真菌治療を選択する工程とを含むことを特徴とする方法。
【請求項１１】
上記プローブセットは、Ｃ．アルビカンスおよびＣ．パラプシローシスを標的とするＰＮＡプローブセット、Ｃ．トロピカリスを標的とするＰＮＡプローブセット、ならびにＣ．グラブラタおよびＣ．クルセイを標的とするＰＮＡプローブセットの１つ以上を含み、上記ＰＮＡプローブセットは独立して標識されており、
Ｃ．アルビカンスおよびＣ．パラプシローシスを標的とする１つ以上の上記ＰＮＡプローブのハイブリダイゼーションの検出はフルコナゾールの選択を示し、Ｃ．トロピカリスを標的とする１つ以上の上記ＰＮＡプローブのハイブリダイゼーションの検出は、フルコナゾールの増加量を選択し、Ｃ．グラブラタおよびＣ．クルセイを標的とする１つ以上の上記ＰＮＡプローブのハイブリダイゼーションの検出は、カスポファンギン、ボリコナゾール、またはアンフォテリシンＢの選択を示していることを特徴とする請求項１０に記載の方法。
【請求項１２】
抗真菌治療を選択するためのキットであって、
ａ）少なくとも１つの薬剤感受性型真菌の核酸配列に相補的な配列を含むプローブセットと、
ｂ）分析を実行するために必要な他の試薬または化合物とを備えていることを特徴とするキット。
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
患者から得られた生体試料において個体のIL-21受容体遺伝子の遺伝子型を検出する段階を含む、IL-21療法を必要とする個体においてIL-21に対する治療反応を予測する方法。
【請求項２】
個体のIL-21受容体遺伝子の遺伝子型が、1つの対立遺伝子変種を含む、請求項1記載の方法。
【請求項３】
個体のIL-21受容体遺伝子の遺伝子型が、2つの対立遺伝子変種を含む、請求項1記載の方法。
【請求項４】
個体のIL-21受容体遺伝子の遺伝子型が、IL-21ハプロタイプを含む、請求項1記載の方法。
【請求項５】
対立遺伝子変種がT-83C変種である、請求項2または3記載の方法。
【請求項６】
個体から得られた生体試料において、個体のIL-21受容体遺伝子の遺伝子型を検出する段階、および野生型IL-21受容体遺伝子に関してホモ接合性の個体に与えられる用量とは異なるIL-21組成物の治療的に有効な用量を決定する段階を含む、IL-21の使用のための治療計画を選択する方法。
【請求項７】
治療的に有効な用量が、最適な免疫学的用量である、請求項6記載の方法。
【請求項８】
個体のIL-21受容体遺伝子の遺伝子型が、2つの対立遺伝子変種を含む、請求項6記載の方法。
【請求項９】
個体のIL-21受容体遺伝子の遺伝子型が、1つの対立遺伝子変種を含む、請求項6記載の方法。
【請求項１０】
対立遺伝子変種がT-83C変種である、請求項8または9記載の方法。
【請求項１１】
個体のIL-21受容体遺伝子の遺伝子型が、IL-21ハプロタイプを含む、請求項6記載の方法。
【請求項１２】
単離した生体試料中で個体のIL-21受容体遺伝子の遺伝子型を検出する段階を含む、IL-21療法を必要とする個体においてIL-21に対する治療反応を予測するインビトロ方法。
【請求項１３】
請求項12記載の方法を含み、かつ野生型IL-21受容体遺伝子に関してホモ接合性の個体に与えられる用量とは異なるIL-21組成物の治療的に有効な用量を決定する段階をさらに含む、IL-21の使用のための治療計画を選択する方法。
【請求項１４】
個体のIL-21受容体遺伝子の遺伝子型が、2つの対立遺伝子変種を含む、請求項12または13記載の方法。
【請求項１５】
個体のIL-21受容体遺伝子の遺伝子型が、1つの対立遺伝子変種を含む、請求項12または13記載の方法。
【請求項１６】
対立遺伝子変種がT-83C変種である、請求項14または15記載の方法。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
単離された、結合組織由来の細胞集団であって、該細胞集団における細胞が、 
a)  抗原提示細胞(APC)に特異的なマーカーを発現せず、 
b)  インドールアミン2,3-ジオキシゲナーゼ(IDO)を構成的に発現せず、 
c)  インターフェロン-γ(IFN-γ)で刺激したときにIDOを発現し、そして、 
d)  少なくとも二細胞系統に分化する能力を示すこと
を特徴とする、細胞集団。 
【請求項２】
細胞表面マーカーCD11b、CD11c、CD14、CD31、CD34、CD45、CD133およびHLAIIに対して陰性である、請求項1に記載の細胞集団。 
【請求項３】
細胞表面マーカーCD9、CD44、CD54、CD90およびCD105のうち、少なくとも1つおよび好ましくは総てに対して陽性である、請求項1または２に記載の細胞集団。 
【請求項４】
脂肪組織、軟骨組織、皮膚または骨髄から単離される、先行するいずれかの請求項に記載の細胞集団。 
【請求項５】
結合組織から細胞集団を単離する方法であって、該細胞集団における細胞が、(i)  APCに特異的なマーカーを発現せず、(ii)  IDOを構成的に発現せず、(iii)  IFN-γで刺激したときにIDOを発現し、そして(iv)  少なくとも二細胞系統に分化する能力を示すことを特徴とする表現型を提示し、 
(i)  結合組織の試料から細胞懸濁液を用意し、 
(ii)  該細胞懸濁液から細胞を回収し、 
(iii)  該細胞を、固体表面上の適当な細胞培地中で細胞が固体表面に接着して増殖する条件下でインキュベーションし、 
(iv)  インキュベーション後、前記固体表面を洗浄して、非接着細胞を除去し、 
(v)  前記培地で少なくとも2回継代培養した後、上記固体表面に接着したままの細胞を選択し、 そして
(vi)  選択した細胞集団が所望の前記表現型を示すことを確認すること
を含んでなる、方法。 
【請求項６】
調節T細胞(Treg)の製造または生成における、請求項1〜4のいずれか一項に記載の細胞集団の使用。 
【請求項７】
(a)  請求項1〜4のいずれか一項に記載の細胞集団と、末梢血白血球とを接触させ、 
(b)  Treg細胞集団を選択すること
を含んでなる、Treg細胞集団の単離方法。 
【請求項８】
請求項7に記載の方法により得られる、単離されたTreg細胞集団。 
【請求項９】
細胞の長期間成長停止状態を引き起こす放射線線量を賦与するように調整された暴露時間中、請求項1〜4のいずれか一項に記載の細胞集団に、制御された電離放射線を照射することを含んでなる、放射線照射した細胞集団の単離方法。 
【請求項１０】
請求項9に記載の方法により得られる、単離された、放射線照射した細胞集団。 
【請求項１１】
請求項1〜4のいずれか一項に記載の細胞集団をインターフェロン-γ(IFN-γ)で処理することを含んでなる、方法。
【請求項１２】
請求項1〜4のいずれか一項に記載の細胞集団をIFN-γで処理することにより得られる、単離された細胞集団。 
【請求項１３】
薬剤として使用するための、請求項1〜4、8、10または12のいずれか一項に記載の単理された細胞集団。
【請求項１４】
移植寛容を誘導するための、または、自己免疫疾患を治療するための、または、炎症性疾患を治療するための、請求項1〜4、8、10または12のいずれか一項に記載の単理された細胞集団。
【請求項１５】
前記炎症性疾患が、炎症性腸疾患(IBD)および関節リウマチ(RA)から選択されるものである、請求項14に記載の細胞集団。 
【請求項１６】
請求項1〜4のいずれか一項に記載の細胞集団または請求項8に記載のTreg細胞集団または請求項10に記載の放射線照射した細胞集団または請求項12に記載のIFN-γ細胞集団または放射線照射した、IFN-γで予備刺激した細胞集団と、薬学上許容可能なキャリヤーとを含んでなる、医薬組成物。 
【請求項１７】
成熟した多能性細胞を分化細胞から識別する方法であって、前記多能性細胞がIFN-γで刺激することによりIDOを発現するかどうかを確認することを含んでなる、方法。 
【請求項１８】
(i)  請求項1〜4のいずれか一項に記載の細胞集団または請求項8に記載のTreg細胞集団または請求項10に記載の放射線照射した細胞集団または請求項12に記載のIFN-γ細胞集団または放射線照射した、IFN-γで予備刺激した細胞集団を含んでなる、キット。
【請求項１９】
自己免疫疾患、炎症性疾患、または、移植臓器および組織の拒絶反応などの免疫介在疾患に関連した1以上の症状を予防し、治療し、または改善するための、請求項1〜4のいずれか一項に記載の細胞集団または請求項8に記載のTreg細胞集団または請求項10に記載の放射線照射した細胞集団または請求項12に記載のIFN-γ細胞集団または放射線照射した、IFN-γで予備刺激した細胞集団の使用。
【請求項２０】
選択された抗原または抗原群に特異的なTreg細胞を得るイン・ビトロ方法であって、
(a)  請求項1〜4のいずれか一項に記載の細胞集団と、前記選択された抗原または抗原群と接触させ、 
(b)  前記細胞集団と、末梢血白血球とを接触させ、 
(c)  前記選択された抗原または抗原群に特異的なTreg細胞集団を選択すること
を含んでなる、方法。 
【請求項２１】
前記Treg細胞を末梢血白血球を得た患者に投与することによる、選択された抗原または抗原群に関連した疾病および疾患の治療における、請求項20に記載の方法により産生されるTreg細胞集団の使用。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
コーティング、塗料、医療装置、薬剤送達装置、センサーまたは膜として使用できる、低汚損スルホベタインまたはカルボキシベタイン材料。
【請求項２】
前記表面が約３０、１０、５または０．３ｎｇ／ｃｍ２未満のフィブリノゲン吸着を有する、請求項１に記載の材料。
【請求項３】
前記スルホベタイン材料またはカルボキシベタイン材料がポリマーまたはコポリマーである、請求項１に記載の材料。
【請求項４】
前記スルホベタインのポリマーまたはコポリマーが、スルホベタイン、スルホベタインアクリレート、スルホベタインアクリルアミド、スルホベタインビニル化合物、スルホベタインメタクリレート、スルホベタインエポキシド、およびそれらの混合物から成る群より選択される１またはそれ以上のモノマーから調製される、請求項３に記載の材料。
【請求項５】
前記カルボキシベタインのポリマーまたはコポリマーが、カルボキシベタイン、カルボキシベタインアクリレート、カルボキシベタインアクリルアミド、カルボキシベタインビニル化合物、カルボキシベタインメタクリレート、カルボキシベタインエポキシド、およびそれらの混合物から成る群より選択される１またはそれ以上のモノマーから調製される、請求項３に記載の材料。
【請求項６】
前記スルホベタインまたはカルボキシベタイン材料が相互侵入高分子網目である、請求項１に記載の材料。
【請求項７】
前記相互侵入高分子網目が、ポリウレタン、シリコーン、ポリエステル、ポリエチレンおよびポリアミドから成る群より選択される１またはそれ以上のポリマーを含む、請求項６に記載の材料。
【請求項８】
前記スルホベタインまたはカルボキシベタイン材料が、高分子ブレンドである、請求項１に記載の材料。
【請求項９】
前記材料の表面に共有結合したスルホベタインまたはカルボキシベタインのポリマーを含む、請求項１に記載の材料。
【請求項１０】
架橋ポリ（スルホベタイン）ヒドロゲルまたは架橋ポリ（カルボキシベタイン）ヒドロゲル。
【請求項１１】
医療装置、薬剤送達装置、組織工学装置、粒子、膜、またはセンサーの全てまたは一部上にコーティングを形成する、請求項１に記載の材料。
【請求項１２】
前記装置が、コンタクトレンズまたは埋め込み型医療装置である、請求項１１に記載の材料。
【請求項１３】
前記コーティングまたは塗料は、海洋用の表面への適用のためである、請求項１に記載の材料。
【請求項１４】
フリーラジカル重合を使用する、請求項１〜１０のいずれかに記載の材料の作製方法。
【請求項１５】
低汚損表面を作製する方法であって、請求項１〜１０のいずれかに記載の材料を基材に適用すること、または請求項１〜１０のいずれかに記載の材料から基材を形成することを含む、方法。
【請求項１６】
前記材料は、前記基材に適用されるか、非共有結合相互作用を通して、または共有結合、静電結合、イオン結合、および配位錯体形成からなる群より選択される結合相互作用を通して基材に結合される、請求項１５に記載の方法。
【請求項１７】
（ａ）基材表面上にラジカル開始剤を末端に持つ層を形成すること；および
（ｂ）該ラジカル開始剤を末端に持つ層上で、スルホベタインまたはカルボキシベタインであるモノマーを重合すること
を含む、低汚損表面を作製するための方法。
【請求項１８】
前記モノマーが、スルホベタインアクリレート、スルホベタインアクリルアミド、スルホベタインビニル化合物、スルホベタインエポキシド、カルボキシベタインアクリレート、カルボキシベタインアクリルアミド、カルボキシベタインビニル化合物、カルボキシベタインエポキシド、およびそれらの混合物から成る群より選択される、請求項１７に記載の方法。
【請求項１９】
（ａ）基材表面上に、疎水性または官能性層を形成すること；
（ｂ）該層を第一コポリマーで処理すること；および
（ｃ）該層を第二コポリマーで処理すること
を含む、低汚損表面を作製するための方法。
【請求項２０】
前記第一コポリマーが［疎水性モノマー］ｌ−ブロック−［親水性モノマー］ｍのジブロックコポリマーを含み、前記第二コポリマーが［疎水性モノマー］ｌ−ブロック−［親水性モノマー］ｎのジブロックコポリマーを含み、前記式中、ｌは１０−３０の整数であり、ｍは１０−１００の整数であり、ｎは１０−５０の整数であり、およびｍはｎより大きい、請求項１９に記載の方法。
【請求項２１】
前記第一コポリマーが［プロピレンオキシド］ｌ−ブロック−［スルホベタインメタクリレート］ｍのジブロックコポリマーを含み、前記第二コポリマーが［プロピレンオキシド］ｌ−ブロック−［スルホベタインメタクリレート］ｎのジブロックコポリマーを含み、前記式中、ｌは１０−３０の整数であり、ｍは１０−１００の整数であり、ｎは１０−５０の整数であり、およびｍはｎより大きい、請求項１９に記載の方法。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
ステント導入装置において、
細長いプッシャ部材と、前記プッシャ部材の周りに滑動可能に配置されている細長い内側導入カテーテルと、前記内側導入カテーテルの中に取り外し可能に装着されている第１プロテーゼと、を含んでいる一次ステント導入器であって、前記第１プロテーゼは、圧縮された展開前の構造から拡張した展開構造へと拡張することができ、前記第１プロテーゼは、前記内側導入カテーテルの中に配置されている時には、前記圧縮された展開前構造に収められており、前記内側導入カテーテルの中に配置されていない時には、前記拡張された展開構造へと拡張することができる、一次ステント導入器と、
細長い外側導入カテーテルと、前記外側導入カテーテルの中に取り外し可能に装着されている第２プロテーゼと、を含んでいる二次ステント導入器であって、前記外側導入カテーテルは、前記一次ステント導入器の周りに滑動可能に配置されており、前記第２プロテーゼは、圧縮された展開前の構造から拡張した展開構造へと拡張することができ、前記第２プロテーゼは、前記外側導入カテーテルの中に配置されている時には、前記圧縮された展開前の構造に収められており、前記外側導入カテーテルの中に配置されていない時には、前記拡張した展開構造へと拡張することができる、二次ステント導入器と、を備えており、
前記第１プロテーゼは、前記内側導入カテーテルを前記プッシャ部材に対して近位方向に引き、前記第１プロテーゼを前記内側導入カテーテルの遠位端から露出させることによって展開され、
前記第２プロテーゼは、前記外側導入カテーテルを前記一次ステント導入器に対して近位方向に引き、前記第２プロテーゼを前記外側導入カテーテルの遠位端から露出させることによって展開される、ステント導入装置。
【請求項２】
前記第１プロテーゼは、前記プッシャ部材の周りに取り外し可能に装着されている、請求項１に記載のステント導入装置。
【請求項３】
前記プッシャ部材は、ステント担持領域とステントプッシャとを備えており、前記ステントプッシャは、前記ステント担持領域の近位側に配置されていて、前記第１プロテーゼの近位端に当接するように構成されており、更に前記第１プロテーゼは、前記内側導入カテーテルの中に配置されている時には、前記ステント担持領域の周りに取り外し可能に装着されている、請求項２に記載のステント導入装置。
【請求項４】
前記第２プロテーゼは、前記外側導入カテーテルを前記プッシャ部材に対して近位方向に引き、前記第２プロテーゼを前記プッシャ部材と係合させ前記第２プロテーゼを前記外側導入カテーテルの遠位端から露出させることによって、展開される、請求項１に記載のステント導入装置。
【請求項５】
前記プッシャ部材は、フランジと支持要素とを含む遠位端キャップを備えており、前記フランジは、前記第２プロテーゼの近位端に当接するように構成されており、前記支持要素は、前記第２プロテーゼの内側容積内へ伸長するように構成されている、請求項４に記載のステント導入装置。
【請求項６】
前記第２プロテーゼは、前記外側導入カテーテルを前記内側導入カテーテルに対して近位方向に引き、前記第２プロテーゼを前記内側導入カテーテルと係合させ前記第２プロテーゼを前記外側導入カテーテルの遠位端から露出させることによって、展開される、請求項１に記載のステント導入装置。
【請求項７】
前記外側導入カテーテルは、前記外側導入カテーテルの側壁を貫通するサイドポートを備えており、前記サイドポートは、前記一次ステント導入器を通すことができるように構成されている、請求項１に記載のステント導入装置。
【請求項８】
前記二次ステント導入器は、患者体内管腔の分岐管の第１枝管の中に配置され、前記一次ステント導入器は、前記サイドポートを通り、前記分岐管の第２枝管の中へ伸長する、請求項７に記載のステント導入装置。
【請求項９】
前記プッシャ部材は、少なくともその一部を通って伸長するルーメンを備えている、請求項１に記載のステント導入装置。
【請求項１０】
前記ルーメンの少なくとも一部を通って伸長するワイヤガイドを更に備えている、請求項９に記載のステント導入装置。
【請求項１１】
前記外側導入カテーテルは、遠位端を備えており、前記遠位端は、丸みを帯びているか又は先細の外形を有している、請求項１に記載のステント導入装置。
【請求項１２】
前記遠位端は、前記一次ステント導入器を通すことができるように拡張可能である、請求項１１に記載のステント導入装置。
【請求項１３】
前記遠位端は、その表面を少なくとも部分的に貫いて伸長している１つ又はそれ以上のスリットを備えており、前記１つ又はそれ以上のスリットは、前記遠位端が拡張して前記一次ステント導入器を通すことができるように構成されている、請求項１２に記載のステント導入装置。
【請求項１４】
ステント導入装置において、
細長い外側導入カテーテルと、
前記外側導入カテーテルの中に滑動可能に配置されている細長い内側導入カテーテルと、
前記内側導入カテーテルの中に滑動可能に配置されている細長いプッシャ部材と、
前記内側導入カテーテルの中に取り外し可能に配置されている第１プロテーゼと、
前記外側導入カテーテルの中に取り外し可能に配置されている第２プロテーゼと、を備えており、
前記第１プロテーゼは、前記内側導入カテーテルを前記プッシャ部材に対して近位方向に引き、前記第１プロテーゼを前記内側導入カテーテルの遠位端から露出させることによって展開され、
前記第２プロテーゼは、前記外側導入カテーテルを前記内側導入カテーテルと前記プッシャ部材の内の１つに対して近位方向に引き、前記第２プロテーゼを前記外側導入カテーテルの遠位端から露出させることによって展開される、ステント導入装置。
【請求項１５】
前記第１プロテーゼ及び前記第２プロテーゼは、それぞれ、圧縮された展開前の構造から拡張した展開構造に拡張させることができる自己拡張型ステントを備えている、請求項１４に記載のステント導入装置。
【請求項１６】
前記第１プロテーゼを前記内側導入カテーテルの前記遠位端から展開中は、前記プッシャ部材が前記第１プロテーゼと係合して、前記第１プロテーゼを前記内側導入カテーテルに対して遠位方向へ動かす、請求項１４に記載のステント導入装置。
【請求項１７】
前記第２プロテーゼを前記外側導入カテーテルの前記遠位端から展開中は、前記プッシャ部材と前記内側導入カテーテルの内の１つが前記第２プロテーゼと係合して、前記第２プロテーゼを前記外側導入カテーテルに対して遠位方向へ動かす、請求項１４に記載のステント導入装置。
【請求項１８】
前記第２プロテーゼは、前記外側導入カテーテルの中の、内側導入カテーテルに対して遠位側の位置に、取り外し可能に配置されている、請求項１４に記載のステント導入装置。
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
a) 薬学的に許容され得るアニオン安定剤；および
b) 該アニオン安定剤と混合された脂肪族アミンポリマーまたは薬学的に許容され得るその塩
を含む粉末を含む容器。
【請求項２】
粉末中の唯一の薬学的活性成分が脂肪族アミンポリマーである、請求項１記載の容器。
【請求項３】
アニオン安定剤がアニオンポリマーである、請求項１記載の容器。
【請求項４】
脂肪族アミンポリマーまたは薬学的に許容され得るその塩が、
2009508580.tif 000001
（式中:
yはゼロまたは１〜１０の整数である;
R、R1、R2およびR3は独立して、H、置換もしくは非置換アルキル基またはアリール基である；ならびに
X-は負に帯電した対イオンである）
から選択される式によって表される１つ以上の反復単位を含む、請求項３記載の容器。
【請求項５】
粉末が、薬学的に許容され得る香味剤をさらに含む、請求項４記載の容器。
【請求項６】
アニオンポリマーが、カルボキシアルキルセルロースまたはマンヌロン酸、グルロン酸、アクリル酸、メタクリル酸、グルクロン酸、グルタミン酸もしくはその組み合わせのポリマー、または薬学的に許容され得るその塩である、請求項４記載の容器。
【請求項７】
アニオンポリマーが、アルギン酸塩、カルボキシメチルセルロース、ペクチン、キサンタン、カラギーナン、ファーセラン、アラビアゴム(arabic)、カラヤおよびトラガカントからなる群より選択される、請求項４記載の容器。
【請求項８】
アニオンポリマーがアルギン酸塩である、請求項７記載の容器。
【請求項９】
アルギン酸塩がエステル化されたアルギン酸塩である、請求項７記載の容器。
【請求項１０】
エステル化されたアルギン酸塩が、アルギン酸塩のC2〜C5ジオールエステルまたはアルギン酸塩のC3〜C5トリオールエステルである、請求項９記載の容器。
【請求項１１】
エステル化されたアルギン酸塩が、アルギン酸エチレングリコール、アルギン酸プロピレングリコールおよびアルギン酸グリセロールからなる群より選択される、請求項１０記載の容器。
【請求項１２】
アルギン酸塩が、アルギン酸ナトリウム、アルギン酸カルシウム、アルギン酸カリウム、アルギン酸マグネシウム、アルギン酸亜鉛およびアルギン酸アンモニウムからなる群より選択される、請求項８記載の容器。
【請求項１３】
アニオン安定剤がアニオンポリペプチドである、請求項１記載の容器。
【請求項１４】
アニオンポリペプチドが、ゼラチン、カゼイン消化物、乳漿蛋白、ダイズタンパク質およびポリグルタミン酸からなる群より選択される、請求項１３記載の容器。
【請求項１５】
脂肪族アミンポリマーが二官能性架橋剤で架橋される、請求項４記載の容器。
【請求項１６】
脂肪族アミンポリマーがポリアリルアミンである、請求項１５記載の容器。
【請求項１７】
容器がサシェまたはカップである、請求項１記載の容器。
【請求項１８】
a) アルギン酸塩のC2〜C5ジオールエステルまたはアルギン酸塩のC3〜C5トリオールエステル；ならびに
b) 該アルギン酸塩と混合されたポリアリルアミンポリマーまたは薬学的に許容され得るその塩
を含む粉末を含む容器。
【請求項１９】
アルギン酸塩がアルギン酸プロピレングリコールである、請求項１８記載の容器。
【請求項２０】
ポリアリルアミンポリマーが二官能性架橋剤で架橋される、請求項１９記載の容器。
【請求項２１】
ポリアリルアミンポリマーがセベラマーである、請求項１６または２０記載の容器。
【請求項２２】
ポリアリルアミンポリマーがセベラマーの塩化物塩である、請求項２１記載の容器。
【請求項２３】
ポリアリルアミンポリマーがセベラマーの炭酸塩である、請求項２１記載の容器。
【請求項２４】
ポリアリルアミンポリマーが、セベラマーの混合された塩化物塩および炭酸塩である、請求項２１記載の容器。
【請求項２５】
薬学的に許容され得る甘味剤をさらに含む、請求項２１記載の容器。
【請求項２６】
薬学的に許容され得る甘味剤として、スクラロース、スクロース、キシロース、マンニトール、マルチトール、マルトール、ソルビトールおよびキシリトールからなる群より選択される少なくとも１種類が含まれる、請求項２５記載の容器。
【請求項２７】
容器がサシェである、請求項２６記載の容器。
【請求項２８】
粉末がカプセル化されておらず、自由流動性であり、300ミクロンより大きい粒径を有する粒子を5wt%未満および10ミクロン未満の粒径を有する粒子を5wt%未満含む、請求項１または１８記載の容器。
【請求項２９】
a) 薬学的に許容され得るアニオン安定剤；ならびに
b) 該アニオン安定剤と混合された脂肪族アミンポリマーまたは薬学的に許容され得るその塩
を含み、粉末中の唯一の薬学的活性成分が脂肪族アミンポリマーである粉末製剤。
【請求項３０】
アニオン安定剤がアニオンポリマーである、請求項２９記載の粉末。
【請求項３１】
粉末がカプセル化されておらず、自由流動性であり、300ミクロンより大きい粒径を有する粒子を5wt%未満および10ミクロン未満の粒径を有する粒子を5wt%未満含む、請求項３０記載の粉末。
【請求項３２】
リン酸塩過剰血症(hyperphosphotemia)を有する被験体を治療するための医薬の製造における、薬学的に許容され得るアニオン安定剤、および該アニオン安定剤と混合された脂肪族アミンポリマーまたは薬学的に許容され得るその塩を含む液体または粉末製剤の使用。
【請求項３３】
製剤が、内部に溶解または懸濁された脂肪族アミンポリマーおよびアニオン安定剤の混合物を有する液体製剤である、請求項３２記載の使用。
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
表２、表５.３、表１０、表１３又は表１４に図示されるCDR１、CDR２又はCDR３配列を少なくとも１つ含む重鎖可変領域抗体(VHH)。
【請求項２】
請求項１記載のVHHがその標的と結合するのを阻害することができる、PABPN１、ベータ‐アミロイド又はエメリンに特異的なVHH。
【請求項３】
VHHを細胞内の特定の位置に向かわせるシグナル配列を含む、請求項１又は２記載のVHH。
【請求項４】
ヒト化又は脱免疫化した請求項１〜３のいずれか１項記載のVHH。
【請求項５】
請求項１〜４のいずれか１項記載のVHHをコードする核酸。
【請求項６】
請求項５記載の核酸を含むベクター、好ましくは発現ベクター。
【請求項７】
請求項５記載の核酸又は請求項６記載のベクターを含む、組み換え型及び/又は単離細胞。
【請求項８】
請求項１〜４のいずれか１項記載のVHHを含む組み換え型及び/又は単離細胞。
【請求項９】
請求項５記載の核酸又は請求項６記載のベクターを含む、単離及び/又は組み換え型遺伝子運搬媒体。
【請求項１０】
請求項５記載の核酸を含む細胞を提供すること及び前記細胞を培養して請求項１〜４のいずれか１項記載のVHHを生産させることを含む、前記VHHの生産方法。
【請求項１１】
前記タンパクの凝集に関与するタンパク上の領域を同定する為の、請求項１〜４のいずれか１項記載のVHHの使用。
【請求項１２】
一群の化合物から化合物を選択する方法であって、
特異的結合ペアの第一員及び第二員を提供し、
前記特異的結合ペアの前記第一員を前記化合物に接触させ、及び
前記化合物が前記結合ペアの結合を阻害するかどうか測定することを含み、
前記第一員が前記凝集体の形成を伴う疾患における凝集体の形成に関連するタンパクを含み又は前記第一員が前記タンパクの機能的部分、誘導体及び/又は類似体であり、及び、
前記第二員が、請求項１〜４のいずれか１項記載のVHHを含む前記方法。
【請求項１３】
抗原特異的VHH担体を多数のVHH単体を含むディスプレーライブラリーから選択する方法であって、前記方法が少なくとも２つの連続するラウンドの抗原結合指示性VHH担体の選択及び少なくとも１つのラウンドの機能指示性VHH及び/又はVHH担体のスクリーニングを含み、選択の１ラウンドでは、VHH担体は、前記ライブラリーからVHH担体が指示性固定された抗原に結合することで選択され、他の選択ラウンドにおいて、抗原特異的VHH担体はVHH担体と受動性固定された抗原接触させることで選択し、前記少なくとも１つの機能指示性スクリーニングラウンドは２またはそれ以上のVHH又はVHH担体の、前記抗原を含むタンパクの凝集を少なくとも部分的に予防する特性及び/又は前記抗原を含むタンパクの凝集を少なくとも部分的に溶解する特性を試験することを含む前記方法。
【請求項１４】
前記抗原が表１の遺伝子でコードされたタンパク又は少なくとも１０の連続アミノ酸を含むその部分を含む、請求項１３記載の方法。
【請求項１５】
少なくとも２つの連続する抗原結合指示性VHH担体選択ラウンド及びVHH及び/又はVHH担体の少なくとも１つの機能指示性スクリーニングにより前記方法が前記ディスプレーライブラリーから前記抗原特異的VHH担体を選択する、多くのVHH担体を含むディスプレーライブラリーからの抗原特異的なVHH担体の選択方法であって、
前記抗原は霊長類の遺伝子でコードされたタンパクの抗原であり、; 
前記ヒト遺伝子の変異体がヒトにおける凝集体の集積に関係し、
前記抗原は正常な霊長類の遺伝子でコードされたタンパクの抗原であり、及び
前記少なくとも１ラウンドの機能指示性スクリーニングが ２又はそれ以上のVHH又はVHH 担体を、前記抗原を含むタンパクの凝集を少なくとも部分的に予防する特性及び/又は前記抗原を含む前記タンパクを含む凝集体少なくとも部分的に溶解する特性について試験することを含む前記選択方法。
【請求項１６】
選択ラウンドにおいて、VHHが前記抗原に接触する前に、前記抗原の少なくとも１つのエピトープがマスクされている請求項１３〜１５のいずれか１項記載の方法。
【請求項１７】
前記タンパク質の凝集に関与しない少なくとも１つのエピトープがマスクされている、請求項１６記載の方法。
【請求項１８】
少なくとも１つの前記マスクされたエピトープが免疫優性エピトープである請求項１６又は１７記載の方法。
【請求項１９】
さらに前記抗原特異的VHHを調製すること及び前記VHHが少なくとも前記タンパクを含む凝集体の形成を減少させることができるかどうか判定することを含む、請求項１３〜１８のいずれか１項記載の方法。
【請求項２０】
さらに前記抗原特異的VHHを調製すること及び前記VHHが形成した前記タンパクを含む凝集体の大きさを少なくとも減少させることができるかどうかを判定することを含む請求項１３〜１８のいずれか１項記載の方法。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
各々のロッドがその長さに沿って所定の間隔の距離に置かれた個々の物体を有する、シガレットフィルタ要素の製造に使用する複数のロッドを提供するための装置であって、
（ａ）ロッドフィルタ材料の連続的な供給を提供する手段と、
（ｂ）物体のためのリザーバを提供するための第１のホッパー手段と、
（ｃ）第１のホッパー手段から物体を受け取るように位置合わせされ、複数の個々の物体を提供する第２のホッパー手段と、
（ｄ）第１のホッパー手段と第２のホッパー手段との間の往復運動型篩い分け手段と、
（ｅ）第２のホッパーからフィルタ材料の供給品の中に所定の間隔の距離で個別物体を位置付ける手段と、
（ｆ）フィルタ材料を、ロッドの中に所定の間隔の距離で位置付けられた個々の物体を有する連続的なロッドに形成する手段と、
（ｇ）連続的なロッドを所定の間隔で細分する手段と
を有する、装置。
【請求項２】
ラッピング材料の連続的な供給を提供する手段をさらに有し、フィルタ材料を連続的なロッドに形成する手段がラッピング材料をフィルタ材料の周りに連続的に形成する装飾手段を含む、請求項１に記載の装置。
【請求項３】
フィルタ材料の中への各々の個別物体の排出を確実にする排出手段をさらに含む、請求項１に記載の装置。
【請求項４】
往復運動型篩い分け手段が複数の通路を保有するバーの形態を有し、各々の通路が一度に１個の物体の通過を可能にするために十分なサイズである、請求項１に記載の装置。
【請求項５】
細長の部材であって部材の両側を貫通して連絡する管状の通路を有する部材を往復運動型篩い分け手段が有し、前記細長の部材が、両側のうちの一方が上側ホッパーと並列し、両側のうちの他方が下側ホッパーと並列するように位置決めされ、それにより、管状の通路が上側と下側のホッパーの間に連絡を提供する、請求項１に記載の装置。
【請求項６】
第１のホッパー手段が上側ホッパーであり、第２のホッパー手段が下側ホッパーであり、上側ホッパーが重力送りを手段として物体を下側ホッパーに供給するように構成される、請求項１に記載の装置。
【請求項７】
シガレットフィルタロッドを製造するための装置であって、
（ａ）フィルタ材料の連続的な供給を提供する手段と、
（ｂ）フィルタ材料を連続的なロッドに形成する手段と、
（ｃ）最外側周縁面に位置する複数のポケットを有し、動作可能な状態でフィルタ材料と連絡しており、垂直平面内で回転可能なホイール手段と、
（ｄ）回転可能なホイール手段と動作可能な状態で連絡している下側ホッパー手段と、
（ｅ）下側ホッパー手段と動作可能な状態で連絡している上側ホッパー手段と、
（ｆ）フィルタ材料の周りにオーバーラップ材料を巻き付ける手段と、
（ｇ）連続的なロッドを所定の間隔で細分する手段と
を有する、装置。
【請求項８】
上側ホッパー上に取り付けられた振動手段をさらに有する、請求項７に記載の装置。
【請求項９】
上側と下側のホッパーユニットの間に位置する分離部材をさらに有し、分離部材が上側と下側のホッパーの間の連絡を提供する貫通した複数の通路を有する、請求項７に記載の装置。
【請求項１０】
各々のロッドがその長さに沿って所定の間隔の距離に置かれた個別の物体を有する、シガレットフィルタ要素の製造に使用するための複数のロッドを提供するための方法であって、
（ａ）ロッドフィルタ材料の連続的な供給を提供する工程と、
（ｂ）物体のためのリザーバを提供する第１のホッパーに物体を供給する工程と、
（ｃ）第１のホッパーから第２のホッパー手段に物体を供給する工程と、
（ｄ）第２のホッパーからフィルタ材料の供給品の中に所定の間隔の距離で個別の物体を位置付ける工程と、
（ｅ）フィルタ材料を、ロッドの中に所定の間隔の距離で位置付けられた個別の物体を有する連続的なロッドに形成する工程と、
（ｆ）連続的なロッドを所定の間隔で細分する工程と
を含む、方法。
【請求項１１】
ラッピング材料の連続的な供給を提供する工程、およびフィルタ材料の周りにラッピング材料を連続的に形成することによってフィルタ材料を連続的なロッドに形成する工程をさらに含む、請求項１０に記載の方法。
【請求項１２】
フィルタ材料の中への個別の物体の位置付けを補助するために空気噴出手段を使用する工程をさらに含む、請求項１１に記載の方法。
【請求項１３】
第１のホッパーが上側ホッパーであり、第２のホッパーが下側ホッパーであり、上側ホッパーが下側ホッパーに物体を重力送りするように位置決めされる、請求項１１に記載の方法。
【請求項１４】
上側ホッパーと下側ホッパーとの間の部材を往復運動させる工程をさらに含み、この部材が、物体が各々の穴を個々に通過することを可能にするようにサイズを定められた複数の穴を内部に有する、請求項１３に記載の方法。
【請求項１５】
下側ホッパー内の物体の量が所定の限界を超えると篩い分けの往復運動を調節する工程をさらに含む、請求項１３に記載の方法。
【請求項１６】
上側ホッパーを振動させる工程をさらに含む、請求項１３に記載の方法。
【請求項１７】
位置付ける工程が、
動作可能な状態でフィルタ材料と連絡しているホイール手段を、ホイールの一部分が所定の場所でフィルタ材料に接触するように、および接触中の回転ホイール手段の周縁とフィルタ材料の進行の全体的方向が概して同じ方向になるように垂直平面内で回転させる工程と、
回転可能なホイール手段と動作可能な状態で連絡している下側ホッパー手段を提供する工程と
を含む、請求項１０に記載の方法。
【請求項１８】
細分された連続ロッド内の物体の場所を検出するための検査システムを提供する工程、および検査システムからのフィードバックと比較してホイールの回転のスピードを制御する工程をさらに含む、請求項１７に記載の方法。